(57)【特許請求の範囲】
【請求項１】
自動販売機又は券売機の扉前面の開口部に固定される額縁状の枠体と、 
前記枠体に対して下部を中心に回転自在に設けられ、前記枠体の閉塞状態から回転することで上部が前方に変位して前記枠体との間で出し入れ口を形成する前面板と、 
前記前面板の後方に上下動自在に設けられ、前記出し入れ口から突出する後面部材と、 
前記前面板と前記後面部材との間に挟まれた表示シートと、 
を有する選択ボタン。 
【請求項２】
前記前面板の両側部から後方に設けられた左右一対の前側板と、 
左右一対の前記前側板からそれぞれ突出した回転スライド突部と、 
前記前側板の底面から下方に突出した軸突部と、 
前記枠体の下枠の内周に設けられた回転凹部と、 
前記枠体の左右一対の左枠と右枠に円弧状にそれぞれ設けられた回転スライド溝と、 
を有し、 
前記軸突部が前記回転凹部内で回転することにより、前記回転スライド突部が前記回転スライド溝に沿って移動して、前記前面板が前記閉塞状態から前記出し入れ口が形成される状態になる、 
請求項１に記載の選択ボタン。 
【請求項３】
前記回転スライド溝の縁部から突出し、前記閉塞状態における前記回転スライド突部の移動を阻止するストッパーを有する、 
請求項２に記載の選択ボタン。 
【請求項４】
左右一対の前記前側板の上下方向に設けられた上下スライド溝と、 
前記後面部材の両側部から突出した上下スライド突部と、 
を有し、 
前記上下スライド突部が前記上下スライド溝の上部に移動したときに、前記後面部材が前記前面板から突出する、 
請求項３に記載の選択ボタン。 
【請求項５】
前記後面部材の下部に前記表示シートを載置するための支持片が設けられている、 
請求項１乃至４のいずれか一項に記載の選択ボタン。 
【請求項６】
前記枠体の下部に設けられたスイッチ受け体と、 
前記前面板の下部に設けられたスイッチ押圧体と、 
を有し、 
前記前面板が前記閉塞状態のときに、前記前面板の下部が前記回転スライド突部を中心に後方に回転して、前記スイッチ押圧体が前記スイッチ受け体を押圧する、 
請求項２に記載の選択ボタン。 
【請求項７】
前記前面板が前記閉塞状態のときに、前記前面板の下部が前記枠体から突出している、 
請求項６に記載の選択ボタン。 
【請求項８】
前記スイッチ受け体と前記スイッチ押圧体との間にバネが配され、前記前面板の下部を前記枠体の前方に押圧している、 
請求項７に記載の選択ボタン。 
【請求項９】
前記前面板の前記スイッチ押圧体より上部が透明であり、前記後面部材が乳白色であり、前記表示シートが透光性を有する、 
請求項６に記載の選択ボタン。 
【請求項１０】
請求項１乃至９のいずれか一項に記載の選択ボタンを有する、 
自動販売機。
【発明の詳細な説明】
【技術分野】
【０００１】
本発明は、自動販売機の扉前面に設けられている選択ボタンとそれを用いた自動販売機に関するものである。
【背景技術】
【０００２】
券売機や自動販売機においては、扉の前面に、販売する商品名やメニューを表示した選択ボタンが複数設けられ、この選択ボタンを客が押圧して商品を販売する。
【０００３】
選択ボタンは、内部に商品名やメニューを記載した板状やシート状の表示体を有している。この表示体を交換するためには、従来は扉を開放状態にし、扉の後方から選択ボタンを取り外し、この選択ボタンにある表示体を後方から交換する。
【先行技術文献】
【特許文献】
【０００４】
【特許文献１】特開２０１０−２８７１４７号公報
【特許文献２】特開平６−１６２３３２号公報
【発明の概要】
【発明が解決しようとする課題】
【０００５】
上記選択ボタンを扉の後方から外して表示体を交換すると、作業員が選択ボタンの前面の状態を視認できず、誤ったメニューを記載した表示体を取り付けたり、表示体が傾いて取り付けられたりして、手直しをする必要があった。また、表示体は薄い紙やフィルム状のものであるため、選択ボタンからの取り外しのときに作業員が、自分の爪で傷つけたり折れ曲げたりすることがあった。
【０００６】
そこで、本発明は上記問題点に鑑み、券売機や自動販売機の前面から表示シートの交換を簡単に行うことができる選択ボタンを提供することを目的とする。
【課題を解決するための手段】
【０００７】
本発明は、自動販売機又は券売機の扉前面の開口部に固定される額縁状の枠体と、 
前記枠体に対して下部を中心に回転自在に設けられ、前記枠体の閉塞状態から回転することで上部が前方に変位して前記枠体との間で出し入れ口を形成する前面板と、 
前記前面板の後方に上下動自在に設けられ、前記出し入れ口から突出する後面部材と、 
前記前面板と前記後面部材との間に挟まれた表示シートと、 
を有する選択ボタンである。
【０００８】
また、本発明は、上記発明の選択ボタンを有する自動販売機である。
【発明の効果】
【０００９】
本発明によれば、券売機や自動販売機の前面から表示シートの交換を簡単に行うことができる選択ボタンを提供することができる。
【図面の簡単な説明】
【００１０】
【図１】選択ボタンの斜視図である。
【図２】選択ボタンの正面図である。
【図３】選択ボタンの右側面図である。
【図４】前面板を回転させない状態（前面板を閉塞した状態）の図２のＡ−Ａ線断面図である。
【図５】前面板を回転させた状態（前面板を開放した状態）の図２のＡ−Ａ線断面図である。
【図６】図２における一部拡大Ｂ−Ｂ線断面図である。
【図７】図２における一部拡大Ｃ−Ｃ線断面図である。
【図８】券売機の斜視図である。
【発明を実施するための形態】
【００１１】
以下、本発明の一実施形態の選択ボタン１０について、図１〜図８に基づいて説明する。本実施形態の選択ボタン１０は、図８に示すように券売機１の扉２の前面に複数設けられている。
【００１２】
（１）選択ボタン１０の構造
選択ボタン１０の構造について図１〜図７に基づいて説明する。
【００１３】
選択ボタン１０は、枠体１２、前面板１４、後面部材１６、表示シート１８から構成されている。
【００１４】
合成樹脂製の枠体１２は、図２に示すように、左枠２０、右枠２２、上枠２４、下枠２６とより構成された長方形の額縁状である。枠体１２の前端部４つの縁部にはフランジ部２８が形成されている。上枠２４から左右一対の上爪部３０，３０が後方に突出し、下枠２６からも左右一対の下爪部３２，３２が後方に突出している。
【００１５】
枠体１２は、扉２の開口部３に前方から嵌め込まれて上爪部３０，３０と下爪部３２，３２が、開口部３の上縁部と下縁部に嵌合し、前部はフランジ部２８で位置決めされる。
【００１６】
下枠２６の内周には、図２に示すように、左右一対の回転凹部４０が凹んでいる。
【００１７】
右枠２２の上部には、図１、図３、図５に示すように、円弧状の回転スライド溝３４が前後方向に設けられ、この回転スライド溝３４の後部の下縁部から山型のストッパ３６が突出している。回転スライド溝３４の下方には、この回転スライド溝３４と平行に弾性溝部３８が開口し、この弾性溝部３８の前部が回転スライド溝３４と連続している。左枠２０の内面の中央部やや後方には、停止突部４８が突出している。
【００１８】
左枠２０にも、円弧状の回転スライド溝３４、ストッパ３６、弾性溝部３８、停止突部４８が設けられている。
【００１９】
枠体１２の下部には、図４、図５に示すように、スイッチの部品の一つであるスイッチ受け体４２が設けられている。このスイッチ受け体４２の前部から突出した受け体突部４４が、後方に押圧されるとスイッチがＯＦＦからＯＮとなる。また、スイッチ受け体４２の後部には券売機１の制御装置と接続するためのコネクター４６が設けられている。
【００２０】
枠体１２の上枠２４の下面前部には、図４、図５に示すように、上停止部５０が下方に突出している。
【００２１】
長方形の前面板１４は、透明な合成樹脂より形成され、その両側部から左右一対の前側板５２，５２が後方に延設されている。前面板１４は、図１、図２に示すように枠体１２の内周側に嵌合する大きさであって枠体１２を閉塞状態にする。
【００２２】
左右一対の前側板５２，５２は、枠体１２の左枠２０と右枠２２の内側に配される。左右一対の前側板５２，５２の高さ方向における下部と中央部の幅寸法は、図３に示すように、枠体１２の幅寸法の例えば半分に形成され、上部のみ後方に膨出し膨出部５４が形成されている。左右一対の前側板５２，５２の膨出部５４の外面には、回転スライド突部５６が突出し、回転スライド溝３４と係合する。左右一対の前側板５２の前部には、図４、図５に示すように、縦方向に上下スライド溝６０が設けられている。前面板１４の後面下部には、図４、図５に示すように、スイッチの部品の一つであるスイッチ押圧体５８が設けられ、受け体突部４４とスイッチ押圧体５８との間にはコイル状のバネ６４が配され、このバネ６４はスイッチ押圧体５８を前方に付勢している。前面板１４の底面６１から軸突部６２，６２が下方に突出している。図２、図３、図４に示すように、左右一対の前側板５２，５２を枠体１２内部に挿入し、前面板１４が枠体１２を閉塞状態にした場合には、軸突部６２，６２が回転凹部４０，４０に嵌合し、また、前面板１４の下方ほど前方に突出する。また、前面板１４の下部、すなわち、スイッチ押圧体５８の部分が不透明であって、それより上部が透明である。これにより前面板１４の透明部分に表示シート１８を配する。
【００２３】
図５、図７に示すように、前側板５２における上下スライド溝６０の後方には、傾斜面７８が設けられている。傾斜面７８は、上下スライド溝６０に後面部材１６の上下スライド突部７４を嵌合するときに、嵌合し易いように傾斜面７８を通過して嵌合させる。
【００２４】
乳白色の合成樹脂製である後面部材１６は、前面板１４の後方に配され、長方形の後面板６６と、後面板６６の両側部から後方に延設された左右一対の後側板６８，６８からなる。左右一対の後側板６８からツマミ片７０が後方に突出している。後側板６８と後面板６６との折曲部下部には切欠き部７２が上下方向に設けられている。左右一対の後側板６８の外面には、上下スライド突部７４が突出し、この上下スライド突部７４が前面板１４の上下スライド溝６０と係合して上下動する。後面板６６の下端部から前方に左右一対の支持片７６が、図５、図６に示すように、突出している。
【００２５】
長方形の表示シート１８は、透光性のある紙又はフィルムシートより構成され、図１、図２に示すように、表面にメニュー（例えば、うどん）と値段（例えば、３００円）とが表示されている。この表示シート１８は、前面板１４の後方に後面部材１６を配した場合に、前面板１４と後面部材１６の間に挟まれて固定される。また、表示シート１８が落下せず、上下方向に位置決めされるように図５、図６に示すように、後面部材１６の支持片７６に載置されている。
【００２６】
（２）選択ボタン１０の組み立て方法
次に、作業員が、選択ボタン１０を組み立てる方法について説明する。
【００２７】
まず、作業員は、枠体１２の前方から前面板１４を取り付ける。この場合に左右一対の前側板５２，５２から突出した回転スライド突部５６を回転スライド溝３４に係合させると共に、枠体１２の回転凹部４０に前面板１４の軸突部６２を係合させる。この場合に、スイッチ受け体４２の受け体突部４４と前面板１４のスイッチ押圧体５８の間にバネ６４を取り付ける。
【００２８】
次に、作業員は、前面板１４に後面部材１６を後方から取り付ける。この場合には、左右一対のツマミ片７０，７０を掴んで後側板６８を内方に折曲する。後側板６８は切り欠き部７２が存在するため内方に折曲できる。そして、後面部材１６の上下スライド突部７４を、前側板５２の傾斜面７８を介して上下スライド溝６０に係合させる。
【００２９】
次に、作業員が、図４に示す状態において後方から手で前面板１４を前方に押圧すると、図５に示すように、前面板１４が軸突部６２を中心に枠体１２の前方に回転し、前面板１４の回転スライド突部５６は、円弧状の回転スライド溝３４に沿って回転する。但し、前面板１４を前方に押圧するときに、回転スライド突部５６が、ストッパ３６を超えるように押圧する。これにより、枠体１２の前面と前面板１４との間に出し入れ口８０が形成される。なお、弾性溝部３８が設けられているため、作業員が前方に押圧して、回転スライド突部５６がストッパ３６を超えるときに、弾性溝部３８によってストッパ３６がやや下がり回転スライド溝３４の前部まで位置させ易い。
【００３０】
次に、作業員が、図５に示すように、後面部材１６を上下スライド溝６０に沿って上方に移動させ出し入れ口８０から突出させる。作業員が、前面板１４と上方に突出した後面部材１６の間に表示シート１８を挟んで後面部材１６を再び下方に移動させる。この場合に表示シート１８は支持片７６に載置されているため落下せず、上下方向に位置決めされる。
【００３１】
次に、作業員が、図５に示す状態において前方から前面板１４を押すと、前面板１４は軸突部６２を中心に回転し、回転スライド溝３４に沿って回転スライド突部５６が回転し、ストッパ３６を超えて固定される。この状態で図４に示すように前面板１４の下部が突出した状態となっている。なお、前面板１４が後方に行き過ぎないように、回転スライド突部５６が回転スライド溝３４の後方端面に当接して停止し、前面板１４の上部が上停止部５０で停止する。また、弾性溝部３８が設けられているため、作業員が後方に押圧して、回転スライド突部５６がストッパ３６を超えるときに、弾性溝部３８によってストッパ３６がやや下がり回転スライド溝３４の後部まで位置させ易い。
【００３２】
次に、作業員は、券売機１の扉２の開口部３に枠体１２を左右一対の上爪部３０，３０、左右一対の下爪部３２，３２で係合し、フランジ部２８で位置決めすると作業が終了する。
【００３３】
券売機１の商品の販売状態では、図３、図４に示すように、枠体１２から前面板１４の下方ほど前方に突出している。そのため、客は、選択ボタン１０の前面板１４の下部を手でバネ６４の付勢力に反して後方に押圧すると、回転スライド突部５６を中心に前面板１４が回転し、スイッチ押圧体５８がスイッチ受け体４２を押圧して、商品が選択される。なお、回転スライド突部５６は、ストッパ３６で回転スライド溝３４に固定されているため、回転がぶれたりしない。
【００３４】
（３）表示シート１８の交換作業
作業員が、表示シート１８を交換するときの作業について説明する。
【００３５】
まず、作業員は、券売機１の扉２を開ける。
【００３６】
次に、作業員は、扉２の後方から交換したい選択ボタン１０の前面板１４を手で前方に押圧する。上記と同様に前面板１４が軸突部６２を中心に上部が回転して出し入れ口８０が形成される。この前面板１４の後面を押圧するときに、その押圧力により回転スライド突部５６がストッパ３６を乗り越えるが、ストッパ３６は、弾性溝部３８が下方に曲がることにより下方に移動して乗り越えやすい。
【００３７】
また、作業員は、前面板１４を前方に押圧するとともに、後面部材１６を上方に押し上げることにより、後面部材１６を上方に引き出す。
【００３８】
次に、作業員は、扉２の前方から、上方に突出した後面部材１６の前から古い表示シート１８を取り出し、その後に新しい表示シートを挟んで後面部材１６を再び下方に移動させる。この場合に表示シート１８は支持片７６に載置されているため落下せず、上下方向に位置決めされる。
【００３９】
最後に、作業員が、扉２を閉じて施錠を行うと選択ボタン１０の表示シート１８の交換が完了する。
【００４０】
（４）効果
本実施形態によれば、扉２を開けて後方から前面板１４おの上部を前方に回転し、前面板１４と枠体１２の上方にできた出し入れ口８０から後面部材１６を上方に移動させ、表示シート１８を前面から交換できる。そのため従来のように背面から交換する作業に比べて、誤ったメニューの表示シート１８を取り付けたり、表示シート１８を傾けて取り付けたりすることがない。また、交換のときに表示シート１８に爪などで擦過傷などが付いたりすることがない。
【００４１】
また、通常の販売状態において前面板１４の下部はバネ６４によって前方に押圧されているため、前面板１４の上端部は上停止部５０に押圧され、枠体１２との間に隙間ができない。そのため、扉２の施錠後は客がいたずらなどで表示シート１８を引き出したりすることが防止される。
【００４２】
また、後面部材１６は乳白色の合成樹脂製であって、券売機１の内部に設けられた照明装置からの光によって透光性の表示シート１８を照明できる。また、この照明装置からの光を拡散させるため、より見易くなる。また、後面部材１６は乳白色であるため、選択ボタン１０の後方にある部品などが見えない。
【００４３】
また、ストッパ３６によって回転スライド突部５６が前方への回転を阻止されているため、前面板１４が容易に前方に移動しない。
【００４４】
（５）変更例
上記実施形態では券売機１で説明したが、これに限らず自動販売機の選択ボタンに適用してもよい。
【００４５】
また、上記実施形態では、表示シート１８の交換作業において、前面板１４を前方に押圧するとともに、後面部材１６を上方に押し上げることにより、後面部材１６を上方に引き出すとしたが、これに限らず、前面板１４を前方に押圧した後に、前方から後面部材１６を上方に引き出してもよい。
【００４６】
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００４７】
１・・・券売機、１０・・・選択ボタン、１２・・・枠体、１４・・・前面板、１６・・・後面部材、１８・・・表示シート、
【図１】
0006348346.tif 000002
【図２】
0006348346.tif 000003
【図３】
0006348346.tif 000004
【図４】
0006348346.tif 000005
【図５】
0006348346.tif 000006
【図６】
0006348346.tif 000007
【図７】
0006348346.tif 000008
【図８】
0006348346.tif 000009